(57)【要約】【課題】  薄手の被取付部材であっても、厚手の被取付部材であっても、被取付部材に確固として取り付けできるようにしたゴルフ用マーカー保持具を提供する。【解決手段】ゴルフ用マーカーＭを保持するゴルフ用マーカー保持部２にサスペンダクリップ型のクリップ部３を備えたことを特徴とするものである。【選択図】    図１
0003127044.tif 000002
【実用新案登録請求の範囲】
【請求項１】
ゴルフ用マーカーを保持するゴルフ用マーカー保持部にサスペンダクリップ型のクリップ部を設け、該クリップ部によって帽子、衣服などの被取付部材をクリップするようにして該被取付部材に取り付けられるようにしたゴルフ用マーカー保持具であって、
前記クリップ部は、基板と、該基板に回転自在に設けられた外押さえとを備え、該外押さえを基板に対して閉位置に保持して被取付部材をクリップする一方、該外押さえを基板に対して開位置に保持して被取付部材を開放し、
前記マーカー保持部は、前記基板又は外押さえに取り付けられることを特徴とするゴルフ用マーカー保持具。
【請求項２】
ゴルフ用マーカーを保持するゴルフ用マーカー保持部にクリップ部を備え、該クリップ部によって被取付部材に着脱自在に取り付けられるようにしたゴルフ用マーカー保持具であって、
前記クリップ部は、基板と、内押さえと、外押さえとを備え、
前記内押さえは、その先端側が前記基板に対して接近又は離間する方向のバネ力が付与された状態でその基端が前記基板に支持され、且つ、その先端側が前記基板に対して閉塞又は接近可能な挟持端となって該挟持端と基板との間に被取付部材が挿入されて挟持される挿入口が形成され、
前記外押さえは、基端側が押圧部になると共に先端側が操作部となり、
前記外押さえは、前記内押さえの外側において前記基板に回転自在に設けられ、該回転に伴って、前記押圧部が前記外押さえの回転中心よりも基端側で前記内押さえの上面に当接することにより、前記操作部は前記挿入口を閉塞する方向のバネ力が前記内押さえから付与されて、前記挿入口の閉状態を維持し、一方、前記押圧部が前記外押さえの回転中心よりも先端側で前記内押さえの上面に当接することにより前記操作部は前記挿入口を開放する方向のバネ力が前記内押さえから付与されて、前記挿入口の開状態を維持し、
前記操作部が操作されることで、前記押圧部が前記内押さえに当接する位置を変更させることによって、前記挿入口の閉塞状態と開放状態とを変更させ、
前記マーカー保持部は、前記基板又は外押さえに取り付けられることを特徴とするゴルフ用マーカー保持具。
【請求項３】
ゴルフ用マーカーを保持するゴルフ用マーカー保持部にクリップ部を備え、該クリップ部によって被取付部材に着脱自在に取り付けられるようにしたゴルフ用マーカ保持具であって、
前記クリップ部は、基板と、内押さえと、外押さえとを備え、
前記内押さえは、基端側段差と先端側段差とを有し、且つ、基端側には該基端側段差を含んだ部分を二股に切り割りする切割部を設けた形状に形成され、
前記外押さえは、基端側が押圧部になると共に先端側が操作部となり、
前記内押さえは、その先端側が前記基板に対して接近又は離間する方向のバネ力が付与された状態でその基端が前記基板に支持され、且つ、その先端側が前記基板に対して閉塞又は接近可能な挟持端となって該挟持端と基板との間に被取付部材が挿入されて挟持される挿入口が形成され、
前記外押さえは、前記内押さえの外側において前記基板に回転自在に設けられ、該回転に伴って、前記押圧部が前記外押さえの回転中心よりも基端側で前記内押さえの上面に当接することにより、前記操作部は前記挿入口を閉塞する方向のバネ力が前記切割部から付与されて、前記挿入口の閉状態を維持し、一方、前記押圧部が前記外押さえの回転中心よりも先端側で前記内押さえの上面に当接することにより前記操作部は前記挿入口を開放する方向のバネ力が前記切割部から付与されて、前記挿入口の開状態を維持し、
前記操作部が操作されることで、前記押圧部が前記内押さえに当接する位置を変更させることによって、前記挿入口の閉塞状態と開放状態とを変更させ、
前記マーカー保持部は、前記基板又は外押さえに取り付けられることを特徴とするゴルフ用マーカー保持具。
【請求項４】
前記内押さえの挟持端と、前記基板の先端側には、被取付部材に当接するシリコン製の当接部を設け、該シリコン製の当接部は、前記内押さえの挟持端と前記基板の先端側に、二つずつ互いに隙間を開けて設け、前記内押さえの挟持端と前記基板の先端側とで被取付部材を挟持した際に、内押さえの挟持端に設けられている当接部と、基板の先端側に設けられている当接部とは、互い違いになる位置に設けられていることを特徴とする請求項２又は請求項３に記載のゴルフ用マーカー保持具。
【請求項５】
前記内押さえの挟持端に設けられている当接部と、前記基板の先端側に設けられている当接部の少なくとも何れか一方の当接部の先端部を、他方の当接部の移動軌跡を避けるようにテーパー状に形成したことを特徴とする請求項４に記載のゴルフ用マーカー保持具。
【請求項６】
前記基板は、表裏面が平面状の平板によって形成されたことを特徴とする請求項２乃至５に記載のゴルフ用マーカー保持具。
【考案の詳細な説明】
【技術分野】
【０００１】
本考案は、グリーン上のボールの位置を記憶しておくためのゴルフ用マーカーを保持するゴルフ用マーカー保持具に関するものである。
【背景技術】
【０００２】
この種のゴルフ用マーカーは、ゴルフ用マーカー保持具に保持されることが可能に形成されているものであって、当該ゴルフ用マーカー保持具は、帽子の鍔等を挟持するようにして該鍔等に取り付けられるように形成されている。
【０００３】
図９は、特許文献１に記載されているゴルフ用マーカー保持具を示す。
【特許文献１】意匠登録第７３５０９７号公報
【０００４】
当該文献１に記載のゴルフ用マーカー保持具１００は、一枚の板材を折曲部１０１において、Ｕ字状に折り曲げることで互いに対向するように形成された一対の挟持部１０２、１０２の間の隙間Ｓに被取付部材１０３を差し込むようにして該被取付部材１０３に取付られるものである。
【考案の開示】
【考案が解決しようとする課題】
【０００５】
しかし、前述のゴルフ用マーカー保持具１００においては、当該保持具１００の隙間Ｓに、厚手の被取付部材１０３を差し込むべく、該隙間Ｓを広げるように変形させて、厚手の被取付部材１０３に該保持具１００を取り付けた後にあっては、当該隙間Ｓに薄手の被取付部材１０３を差し込んで、薄手の被取付部材１０３に該ゴルフ用マーカー保持具１００を取り付けようとしても、該薄手の被取付部材１０３を挟持する力が弱まってしまって、該ゴルフ用マーカー保持具１００を薄手の被取付部材１０３、例えば、シャツ等に確固として取り付けることができないことがあるという問題があった。
【０００６】
本考案は、前記背景技術の問題に鑑みてなされたもので、その目的は、薄手の被取付部材であっても、厚手の被取付部材であっても、被取付部材に確固として取り付けできるようにしたゴルフ用マーカー保持具を提供することを目的とするものである。
【課題を解決するための手段】
【０００７】
請求項１に記載の考案は、ゴルフ用マーカーを保持するゴルフ用マーカー保持部にサスペンダクリップ型のクリップ部を設け、該クリップ部によって帽子、衣服などの被取付部材をクリップするようにして該被取付部材に取り付けられるようにしたゴルフ用マーカー保持具であって、
前記クリップ部は、基板と、該基板に回転自在に設けられた外押さえとを備え、該外押さえを基板に対して閉位置に保持して被取付部材をクリップする一方、該外押さえを開位置に保持して被取付部材を開放し、
前記マーカー保持部は、前記基板又は外押さえに取り付けられることを特徴とするものである。
【０００８】
請求項２に記載の考案は、ゴルフ用マーカーを保持するゴルフ用マーカー保持部にクリップ部を備え、該クリップ部によって被取付部材に着脱自在に取り付けられるようにしたゴルフ用マーカー保持具であって、
前記クリップ部は、基板と、内押さえと、外押さえとを備え、
前記内押さえは、その先端側が前記基板に対して接近又は離間する方向のバネ力が付与された状態でその基端が前記基板に支持され、且つ、その先端側が前記基板に対して閉塞又は接近可能な挟持端となって該挟持端と基板との間に被取付部材が挿入されて挟持される挿入口が形成され、
前記外押さえは、基端側が押圧部になると共に先端側が操作部となり、
前記外押さえは、前記内押さえの外側において前記基板に回転自在に設けられ、該回転に伴って、前記押圧部が前記外押さえの回転中心よりも基端側で前記内押さえの上面に当接することにより、前記操作部は前記挿入口を閉塞する方向のバネ力が前記内押さえから付与されて、前記挿入口の閉状態を維持し、一方、前記押圧部が前記外押さえの回転中心よりも先端側で前記内押さえの上面に当接することにより前記操作部は前記挿入口を開放する方向のバネ力が前記内押さえから付与されて、前記挿入口の開状態を維持し、
前記操作部が操作されることで、前記押圧部が前記内押さえに当接する位置を変更させることによって、前記挿入口の閉状態と開状態とを変更させ、
前記マーカー保持部は、前記基板又は外押さえに取り付けられることを特徴とするものである。
【０００９】
請求項３に記載の考案は、ゴルフ用マーカーを保持するゴルフ用マーカー保持部にクリップ部を備え、該クリップ部によって被取付部材に着脱自在に取り付けられるようにしたゴルフ用マーカー保持具であって、
前記クリップ部は、基板と、内押さえと、外押さえとを備え、
前記内押さえは、基端側段差と先端側段差とを有し、且つ、基端側には該基端側段差を含んだ部分を二股に切り割りする切割部を設けた形状に形成され、
前記外押さえは、基端側が押圧部になると共に先端側が操作部となり、
前記内押さえは、その先端側が前記基板に対して接近又は離間する方向のバネ力が付与される状態でその基端が前記基板に支持され、且つ、その先端側が前記基板に対して閉塞又は接近可能な挟持端となって該挟持端と基板との間に被取付部材が挿入されて挟持される挿入口が形成され、
前記外押さえは、前記内押さえの外側において前記基板に回転自在に設けられ、該回転に伴って、前記押圧部が前記外押さえの回転中心よりも基端側で前記内押さえの上面に当接することにより、前記操作部は前記挿入口を閉塞する方向のバネ力が前記切割部から付与されて、前記挿入口の閉状態を維持し、一方、前記押圧部が前記外押さえの回転中心よりも先端側で前記内押さえの上面に当接することにより前記操作部は前記挿入口を開放する方向のバネ力が前記切割部から付与されて、前記挿入口の開状態を維持し、
前記操作部が操作されることで、前記押圧部が前記内押さえに当接する位置を変更させることによって、前記挿入口の閉状態と開状態とを変更させ、
前記マーカー保持部は、前記基板又は外押さえに取り付けられることを特徴とするものである。
【００１０】
請求項４に記載の考案は、請求項２又は請求項３に記載のゴルフ用マーカー保持具において、前記内押さえの挟持端と、前記基板の先端側には被取付部材に当接するシリコン製の当接部を設け、該シリコン製の当接部は、前記内押さえの挟持端と前記基板の先端側に、二つずつ互いに隙間を開けて設け、前記内押さえの挟持端と前記基板の先端側とで被取付部材を挟持した際に、内押さえの挟持端に設けられている当接部と、基板の先端側に設けられている当接部とは、互い違いになる位置に設けられていることを特徴とするものである。
【００１１】
請求項５に記載の考案は、請求項４に記載のゴルフ用マーカー保持具において、前記内押さえの挟持端に設けられている当接部と、前記基板の先端側に設けられている当接部の少なくとも何れか一方の当接部の先端部を、他方の当接部の移動軌跡を避けるようにテーパー状に形成したことを特徴とするものである。
【００１２】
請求項６に記載の考案は、請求項２乃至５に記載のゴルフ用マーカー保持具において、前記基板は、表裏面が平面状の平板によって形成されたことを特徴とするものである。
【考案の効果】
【００１３】
請求項１に記載の考案によれば、サスペンダクリップ型のクリップ部によって、薄手の被取付部材であっても、厚手の被取付部材であっても、当該被取付部材にゴルフ用マーカー保持具を確固として取り付けることができる。又、ゴルフ用マーカーは、前記クリップ部を構成する基板又は外押さえを取り付けたマーカー保持部に保持される。
【００１４】
請求項２に記載の発明によれば、請求項１に記載のサスペンダクリップ型のクリップ部が、基板、内押さえ、及び外押さえによって構成されることができる。又、ゴルフ用マーカーは、前記クリップ部を構成する基板又は外押さえを取り付けたマーカー保持部に保持される。
【００１５】
請求項３に記載の考案によれば、内押さえに基端側段差と先端側段差を設け、且つ、該内押さえの基端側に切割部を設けることによって、該内押さえに弾発性を付与し、該内押さえの弾性変形によって、薄手の被取付部材から厚手の取付部材まで、広範囲に渡って、ゴルフ用マーカー保持具を取り付けることができる。又、ゴルフ用マーカーは、前記クリップ部を構成する基板又は外押さえを取り付けたマーカー保持部に保持される。
【００１６】
請求項４に記載の考案によれば、基板に設けられているシリコン製の当接部と、内押さえに設けられているシリコン製の当接部とが互い違いに設けられていることによって、これら両当接部によって、被取付部材を挟持するようにして、当該被取付部材にゴルフ用マーカー保持具を確固として取り付けることができる。サスペンダクリップは、新品の場合、シリコンの凹凸の食い込みが深いが、厚手の帽子等を挟持して内押さえが曲がる等のダメージを受けた場合、食い込みが浅くなる。しかし、それであっても、シャツ等の薄手の被取付部材を挟持する際に充分の効果を得ることができる。又、当接部は、シリコン製であって軟らかい素材であるために、該当接部によって被取付部材を挟持する際に該被取付部材を傷付ける虞が少ない。
【００１７】
請求項５に記載の考案によれば、基板に設けられている当接部と、内押さえに設けられている当接部とが互いの移動軌跡を避ける形状に形成されているため、基板に対して内押さえを円滑に接近させたり、離間させることができる。
【００１８】
請求項６に記載の考案によれば、基板が平板によって形成されたことによって、マーカー保持部に該基板を取り付ける際に、両者間に隙間を生じることなく、両者を強固に接着又は溶着することができる。又、基板が平板で構成された場合、該基板の縁取りをするように基板の縁から垂直に立ち上がる突起部がないことになるため、当該突起部を基板に設けた場合と比較して、該突起部によって被取付部材に挟み込んだ跡や、傷を残す虞が少ない。
【考案を実施するための最良の形態】
【００１９】
図１乃至図７は、第１実施形態を示す。図１はゴルフ用マーカー保持具を被取付部材に取り付けた状態を示し、図２は、ゴルフ用マーカー保持具を被取付部材に取り付ける直前の状態を示す。図３はゴルフ用マーカー保持具の分解した状態を示す。図４、及び図５は、側面の一部を示す。図６及び図７は作用を示す。
【００２０】
図１、図２に示すように、ゴルフ用マーカー保持具１は、ゴルフ用マーカーＭを保持するマーカー保持部２に、クリップ部３を備えた構成である。該クリップ部３は、被取付部材４をクリップする部材である。該被取付部材４としては、例えば、帽子の鍔、ズボン、シャツの襟が該当する。
【００２１】
例えば、前記マーカー保持部２が磁性体で形成された板体によって構成され、ゴルフ用マーカーＭが磁石を備えることによって、マーカー保持部２は、ゴルフ用マーカーＭを磁気的に着脱可能に保持できるようにすることができる。
【００２２】
前記クリップ部３は、いわゆる、サスペンダクリップと略同形を成して、ズボンのような被取付部材４をクリップできる構成になっており、基板５と、内押さえ６と、外押さえ７とを備えた構成である。
【００２３】
図３に示すように、基板５は、上下面が平面で形成された長尺の平板で構成され、図１に示すように、該基板５の下面に、前記マーカー保持部２が接着又は溶着できるようになっている。該基板５の下面が平面で形成された場合には、該基板５とマーカー保持部２との間に隙間が生じることなく、該マーカー保持部２は基板５に確固として取り付けることができる。
【００２４】
図３に示すように、該基板５の基端からは支持部８が立設され、又、該基板５の基端側の両側縁には、互いに対面する位置に軸受部９，９が立設されていると共に、該軸受部９から基端方向へ向けて支持受段部１０，１０が連設されている。前記支持部８には支持孔１１が形成され、前記軸受部９には軸孔１２が形成されている。又、該基板５の先端側内面には、２つの直方体状のシリコン製の当接部１３、１３が互いに間隔を開けて設けられている。２つの当接部１３、１３は、基板５の幅方向へ長尺に形成され、基板５の長手方向へは短尺に形成されている。
【００２５】
図３に示すように、内押さえ６は、一枚の長尺の板材で形成され、その基端から長手方向外方へ向けて突出する差込部１４が設けられ、又、基端側近傍の両側縁からは幅方向外方へ向けて支持部１５，１５が突設されている。更に、該内押さえ６の基端側から先端側へ向けて基端側段差部１７と先端側段差部１８とが順次設けられている。これら基端側段差部１７と先端側段差部１８は、共に、内押さえ６の基端側から先端側へ向けて斜め上方又は直角に折曲するようにして形成される。内押さえ６の基端側には二股状の切割部１９、１９が設けられている。該切割部１９、１９は、内押さえ６の基端から先端側段差部１８の近傍に渡って該内押さえ６の中心線Ｌに一致して切り欠かれる形状に形成されている。
【００２６】
該内押さえ６は、弾発性の部材で形成される。又、図３に示すように、該内押さえ６の先端側内面には、２つの直方体状のシリコン製の当接部２０、２０が間隔を開けて設けられている。２つの当接部２０、２０は、基板５の幅方向へ長尺に形成され、基板５の長手方向へは短尺に形成されている。
【００２７】
又、図１に示すように、内押さえ６が閉じた状態においては、図４に示すように、基板５に設けられた当接部１３と、内押さえ６に設けられた当接部２０とは、互い違いになる位置に設けられて、これら当接部１３、２０によって、被取付部材４を確固として挟持できるようになっている。更に、内押さえ６が基板５に対して接近する際に、基板５に設けられている当接部１３の先端部をテーパー状１３aに形成することにより、内押さえ６に設けられている当接部２０が、基板５側の当接部１３に衝突しないようになっている。尚、同図４に示すように、内押さえ６に設けられている当接部２０の先端部も同様の理由でテーパー状２０aに形成しても良い。図４は、内押さえ６、及び基板５の先端側の側面図である。
【００２８】
図３において、前記内押さえ６は、差込部１４が前記基板５の先端側から支持孔１１に接近させるようにして該支持孔１１に差し込まれ、且つ、支持部１５、１５が基板５の支持受段１０，１０部に載置されるようにして、該基板５上に設けられると共に、内押さえ６の先端側と基板５との間は、被取付部材が挿入される挿入口Ｐ（図２に示す）となり、且つ、該内押さえ６の先端側は挟持端６aとなって、該挟持端６aと基板５との間で被取付部材４を挟持できるようになっている。
【００２９】
図３に示すように、外押さえ７は、一枚の板材で形成され、且つ、途中に設けられた折曲部２１で折曲されるようにして形成されることによって、側面から観た場合、略Ｌ字状を成している。該外押さえ７の先端側が操作部２２になり、基端側が押圧部２３になっている。図３に示すように、該押圧部２３は、外押さえ６の基端に２つの山形の凸部２４を設けるようにして形成される。これら２つの各凸部２４は、前記内押さえ６の２つの各切割部１９，１９の上面に当接する位置に設けられている。前記折曲部２１よりも基端側の位置には外押さえ６の側縁から両側方へ向けて軸部２５、２５が突設されている。図３に示すように、該外押さえ７は、前記内押さえ６の外側において、その軸部２５、２５を、基板５の軸受部９に設けられた軸孔１２に挿入させるようにして基板５に組み付けられる。
【００３０】
次に、作用について説明する。先ず、図２に示すように、外押さえ７の操作部２２を内押さえ６の先端側から離間させるようにして、外押さえ７を軸部２５を中心に回転させることによって、図５（ａ）に示すように、該外押さえ７は、その回転中心、即ち、軸部２５よりも先端側に押圧部２３を位置させる。この場合、内押さえ６は、外押さえ７の軸部２５よりも先端側の位置において、該押圧部２３を上方（図５（ａ）中、矢示方向）へ押し上げるように付勢するため、外押さえ７は、その先端側が内押さえ６の挟持端から離間する方向へ付勢されて同図５（ａ）に示す状態が維持される。この状態が、図２に示すように、挿入口Ｐの開状態である。図５は、基板５、内押さえ６、外押さえ７を側面側から観た状態を示す図である。
【００３１】
次に、図２中、二点鎖線で示す被取付部材４に対して、ゴルフ用マーカー保持具１を接近させて、該ゴルフ用マーカー保持具１の挿入口Ｐ内へ該被取付部材４を挿入する。
【００３２】
その後、図１に示すように、ゴルファーが、該ゴルフ用マーカー保持具１の操作部２２を内押さえ６の先端側へ倒して該内押さえ６の挟持端６aを基板５側へ押圧して、該内押さえ６の挟持端６aと基板５との間で被取付部材４を挟持するようにして、該ゴルフ用マーカー保持具１を被取付部材４に取り付ける。この状態が、図１に示すように、挿入口Ｐの閉状態である。
【００３３】
この場合、図５（ｂ）に示すように、内押さえ７の切割部１９は、軸部２５よりも基端側において、外押さえ７の押圧部２３を上方（図５（ｂ）中、矢示方向）へ押し上げるように付勢するため、外押さえ７は、その先端側が内押さえ６の挟持端６aに接近する方向へ付勢されて図１示す状態が維持されることによって、該ゴルフ用マーカー保持具１が被取付部材４を挟持するようにして該被取付部材４に取り付けられた状態が維持される。
【００３４】
ところで、図６に基づいて、ゴルフ用マーカー保持具１を、薄手の被取付部材４に取り付けた場合と、厚手の被取付部材４に取り付けた場合とについて説明する。薄手の被取付部材４に取り付けた場合、内押さえ６及び外押さえ７は、図６（ａ）に示す位置にあって、挿入口Ｐの縦幅はＴ１である。この場合、外押さえ７の押圧部２３は、内押さえ６から矢示方向のバネ力を受けることによって、該外押さえ７の先端側は、内押さえ６の挟持端６aを被取付部材４へ押し付けるように作用することによって、被取付部材４は、基板５と、内押さえ６及び外押さえ７によって挟持され続けて、脱落しない。
【００３５】
次に、ゴルフ用マーカー保持具１を厚手の被取付部材４に取り付けた場合、外押さえ７、及び内押さえ６は図６（ｂ）に示す位置にあって、挿入口Ｐの縦幅Ｔ２は、前述の図６（ａ）に示す場合よりも拡がっている。この場合、内押さえ６は、図３に示すように、その基端側において、差込部１４が基板５の支持孔１１に差し込まれ、且つ、内押さえ６の支持部１５、１５が基板５の支持受段部１０に載置されていることによって、同図６（ｂ）に示すように、撓むように湾曲する。
【００３６】
内押さえ６は、弾発性の部材で形成されているため、撓むように変形できる上に、基端側段差部１７、及び先端側段差部１８が段状から平板に近付くように変形しながら撓むことができる。しかも、この場合においても、前述と同様に、外押さえ７の押圧部２３は内押さえ６から図６（ｂ）中、矢示方向のバネ力を受けることによって、該外押さえ７の先端側は、内押さえ６の挟持端６aを被取付部材４へ押し付けるように作用することによって、被取付部材４は、基板５と、内押さえ６及び外押さえ７によって挟持され続けて、脱落しない。
【００３７】
以上説明したように、外押さえ７の押圧部２３が、図５（ｂ）に示すように、該外押さえ７の回転中心である軸部２５よりも基端側において内押さえ６の切割部１９上面に当接している状態にあっては、該外押さえ７は内押さえ６のバネ力によって挿入口Ｐを閉塞する方向へ付勢される閉位置にあり、一方、図５（ａ）に示すように、外押さえ７の押圧部２３が、該外押さえ７の回転中心である軸部２５よりも先端側において内押さえ６の切割部１９上面に当接している状態にあっては、該外押さえ７は内押さえ６のバネ力によって挿入口Ｐを開放する方向へ付勢される開位置に保持される。
【００３８】
以上説明したように、本実施形態に係るゴルフ用マーカー保持具１は、被取付部材４が薄手であっても厚手であっても、当該被取付部材４に確固として取り付けられることができる。
【００３９】
しかも、外押さえ７の押圧部２３が内押さえ６の切割部１９を撓ませるように変形させることの反作用としてのバネ力、及び該切割部１９を図７中、矢印Ａ，Ｂで示すように、左右に捩るように変形させることの反作用としてのバネ力によって、該外押さえ７が内押さえ６を被取付部材４側へ押圧するものであって、切割部１９を有さない内押さえ６が撓むように変形する時の反作用としてのバネ力のみによる場合に比較して、強いバネ力を得ることができる。
【００４０】
又、内押さえ６が撓むように変形する場合の反作用のみによって大きなバネ力を得ようとした場合、該内押さえ６は大きく変形しなければならない。しかし、当該実施形態のように、内押さえ６が撓むように変形し、しかも、図７に示すように、切割部１９、１９が左右に捩るように変形することの反作用とが相俟ってバネ力を得ようとした場合、内押さえ６が撓むことによる変形量、及び内押さえ６の切割部１９、１９が捩るように変形することによる変形量のそれぞれの変形量は少なくて済むため、内押さえ６は、過度の撓みによる変形、又は切割部１９、１９が過度に捩るように変形することによって損傷する虞が少なく、経年的使用にも耐えることができる。図７は、図１中、矢示Ｃ方向から観た状態であって、外押さえ７の押圧部２３と、内押さえ６との力の関係を示す図である。
【００４１】
更に、図４に示すように、基板５に設けられているシリコン製の当接部１３と、内押さえ６に設けられているシリコン製の当接部２０とが互い違いに設けられていることによって、これら両当接部１３，２０によって、被取付部材４を挟持するようにして、当該被取付部材４にゴルフ用マーカー保持具２を確固として取り付けることができる。クリップ部３は、新品の場合、シリコン製の当接部１３、２０の凹凸の食い込みが深いが、厚手の帽子等を挟持して、内押さえ６が曲がる等のダメージを受けた場合、食い込みが浅くなる。しかし、それであっても、シャツ等の薄手の被取付部材４を挟持する際に充分の効果を得ることができる。又、当接部１３、２０は、シリコン製であって軟らかい素材であるために、該当接部１３、２０によって被取付部材４を挟持する際に該被取付部材４を傷付ける虞が少ない。
【００４２】
又、図２、図３に示すように、基板５は平板によって形成されているものであって、該基板５の縁取りをするように、基板５の縁に沿って立上がり部がない。仮に、基板５の縁取りをするように、該基板５の縁に沿って立上がり部が形成されている場合には、該立上がり部によって、被取付部材４に挟み込んだ跡や傷を残す場合がある。しかし、前記実施形態においては、基板５に縁取りのような立上がり部がないため、被取付部材４に挟み込んだ跡や、傷を残す虞がない。
【００４３】
更に、てこの原理により、比較的弱い力で、外押さえ７の操作部２２を操作することにより、内押さえ６をしっかりと押さえることができると共に、外押さえ７による押圧挟持を解除する際にも、比較的弱い力で、外押さえ７の操作部２２を操作することにより、外押さえ７による強く確固とした押圧を解除することができる。
【００４４】
図８は、第２実施形態を示す。この第２実施形態の特徴は、外押さえ７の外面に、マーカー保持部２を接着又は溶着によって取り付け、該マーカー保持部２にゴルフ用マーカーＭを磁気的に着脱可能に保持できるようにした点にある。この場合、外押さえ７を平板で形成すれば、マーカー保持部２を接着又は溶着によって容易に外押さえ７の外面に取り付けることができる。
【図面の簡単な説明】
【００４５】
【図１】ゴルフ用マーカー保持具を閉位置にした状態を示す、斜視図である。（第１実施形態）
【図２】ゴルフ用マーカー保持具を開位置にした状態を示す、斜視図である。（第１実施形態）
【図３】ゴルフ用マーカー保持具の分解斜視図である。（第１実施形態）
【図４】ゴルフ用マーカー保持具の一部側面図である。（第１実施形態）
【図５】ゴルフ用マーカー保持具の一部側面図である。（第１実施形態）
【図６】作用を説明する、ゴルフ用マーカー保持具の側面図である。（第１実施形態）
【図７】図１において矢示Ｃ方向から観た状態の図である。（第１実施形態）
【図８】ゴルフ用マーカー保持具を閉状態にした状態を示す、斜視図である。（第２実施形態）
【図９】背景技術によるゴルフ用マーカー保持具の側面図である。
【符号の説明】
【００４６】
１  ゴルフ用マーカー保持具
２  マーカー保持部
３  クリップ部
４  被取付部材
５  基板
６  内押さえ
６a  挟持端
７  外押さえ
１３  当接部
１７  基端側段差部
１８  先端側段差部
１９  切割部
２０  当接部
２２  操作部
２３  押圧部
２５  軸部
Ｐ  挿入口
Ｒ  位置決め部
【図１】
0003127044.tif 000003
【図２】
0003127044.tif 000004
【図３】
0003127044.tif 000005
【図４】
0003127044.tif 000006
【図５】
0003127044.tif 000007
【図６】
0003127044.tif 000008
【図７】
0003127044.tif 000009
【図８】
0003127044.tif 000010
【図９】
0003127044.tif 000011